(57)【特許請求の範囲】
【請求項１】
両端開口に接続用フランジ部１が設けられ、外周の下端に脚部２が突設された筒状の本体３と、その本体３に内装される導体とを有し、内部に絶縁性ガスが封入されるガス絶縁型電力用母線４であって、そのガス絶縁型電力用母線を移動する治具において、
基面24上に着脱自在に載置される基部フレーム５を有し、その基部フレーム５上に枠型フレーム６が立ち上げられ、その枠型フレーム６の周方向に互いに離間した少なくとも三つの位置に夫々第１ネジシャフト挿通部７が形成された反力台８と、
前記本体３の接続用フランジ部１に整合する環状に形成され、前記接続用フランジ部１の夫々のボルト孔に整合する位置にボルト挿通孔９が設けられると共に、前記反力台８の第１ネジシャフト挿通部７に整合して外周に第２ネジシャフト挿通部10が形成されたフランジ取付材11と、
前記第１ネジシャフト挿通部７および第２ネジシャフト挿通部10に貫通される少なくとも三本のネジシャフト12および、夫々のネジシャフト12に螺着されるナット13と、
を具備し、前記ネジシャフト12と前記ナット13を相対回転することにより前記本体３が前記枠型フレーム６側に移動するように構成されたガス絶縁型電力用母線の移動治具。
【請求項２】
請求項１において、
前記フランジ取付材11の外周に半径方向に複数のブラケット14が突設され、そのブラケット14に孔が穿設されて、前記第２ネジシャフト挿通部10を構成し、
外周に球面凸部が形成された第１部材15と、その球面凸部に整合する球面凹部を有する環状の第２部材16とを有し、その第２部材16が前記第２ネジシャフト挿通部10に止着するように形成されたガス絶縁型電力用母線の移動治具。
【請求項３】
請求項１において、
重車両等の重量物が載置される板材17と、
その板材17と前記反力台８とを連結する接続体18と、を具備するガス絶縁型電力用母線の移動治具。
【発明の詳細な説明】
【０００１】
【発明の属する技術分野】
本発明は、変電所等に配置されるガス絶縁型電力用母線を設置する際に、それを微調整移動する移動治具に関する。
【０００２】
【従来の技術】
ガス絶縁型電力用母線は、筒状の本体の両端開口に接続用フランジ部が突設され、その本体の下端に脚部が突出されている。そして、本体に導体が内装され、内部に六フッ化硫黄ガス等の絶縁性ガスが封入され、導体には大電流が流通するものである。このようなガス絶縁型電力用母線は、その筒状本体の長さが５〜２０ｍほどであり、それらが直列に接続されるものである。その筒状本体を基面上に設置する際には、熱膨張を考慮し、本体と据付け用基面との間には、多くの摺動脚（滑り材を挟んだスライド脚部）と少数の固定脚が配置されている。そして、熱膨張による応力の加わる本体の曲がり部（コーナー部）には伸びを吸収させるために、ユニバーサルベローが介装されている。そして、そのベローを最も縮めた状態で、夫々の要素を接続して組立てる。そして、その状態から本体を軸線方向外側に、僅かに（２０ｍｍ程度）移動し、据付けを完了する。この僅かの移動のためには、固定脚にワイヤー等を掛けまわし、それを引っ張って移動せざるおえなかった。
【０００３】
【発明が解決しようとする課題】
従来の如く、ガス絶縁型電力用母線を組立てた後に、各要素をその軸線方向に微調整移動する際、脚部に外力を加えて移動させるため、筒状の本体に偏心加重が加わることになり、それを水平方向に円滑に移動できない欠点があった。
そこで本発明は、係る問題点を解決することを課題とする。
【０００４】
【課題を解決するための手段】
請求項１に記載の本発明は、両端開口に接続用フランジ部１が設けられ、外周の下端に脚部２が突設された筒状の本体３と、その本体３に内装される導体とを有し、内部に絶縁性ガスが封入されるガス絶縁型電力用母線４であって、そのガス絶縁型電力用母線を移動する治具において、
基面24上に着脱自在に載置される基部フレーム５を有し、その基部フレーム５上に枠型フレーム６が立ち上げられ、その枠型フレーム６の周方向に互いに離間した少なくとも三つの位置に夫々第１ネジシャフト挿通部７が形成された反力台８と、
前記本体３の接続用フランジ部１に整合する環状に形成され、前記接続用フランジ部１の夫々のボルト孔に整合する位置にボルト挿通孔９が設けられると共に、前記反力台８の第１ネジシャフト挿通部７に整合して外周に第２ネジシャフト挿通部10が形成されたフランジ取付材11と、
前記第１ネジシャフト挿通部７および第２ネジシャフト挿通部10に貫通される少なくとも三本のネジシャフト12および、夫々のネジシャフト12に螺着されるナット13と、
を具備し、前記ネジシャフト12と前記ナット13を相対回転することにより前記本体３が前記枠型フレーム６側に移動するように構成されたガス絶縁型電力用母線の移動治具である。
【０００５】
請求項２に記載の本発明は、請求項１において、
前記フランジ取付材11の外周に半径方向に複数のブラケット14が突設され、そのブラケット14に孔が穿設されて、前記第２ネジシャフト挿通部10を構成し、
外周に球面凸部が形成された第１部材15と、その球面凸部に整合する球面凹部を有する環状の第２部材16とを有し、その第２部材16が前記第２ネジシャフト挿通部10に止着するように形成されたガス絶縁型電力用母線の移動治具である。
請求項３に記載の本発明は、請求項１において、
重車両等の重量物が載置される板材17と、
その板材17と前記反力台８とを連結する接続体18と、を具備するガス絶縁型電力用母線の移動治具である。
【０００６】
【発明の実施の形態】
次に、図面に基づて本発明の実施の形態につき説明する。
図１は、本発明の移動治具の一部破断正面図であり、図２はその右側面図、図３は図１の III部拡大断面図である。また、図４は図１の III部近傍の斜視図であり、図５は図４のＶ−Ｖ矢視断面略図、図６は同図４のVI−VI矢視断面略図、図７は、本発明の移動治具の全体的平面図、図８は同正面図、図９はその基部フレーム５と板材17と接続体18との接続状態を示す説明図である。
【０００７】
図１において、ガス絶縁型電力用母線４は鎖線で示されており、筒状の本体３の下端に脚部２が突設され、それが基面24上に載置される。本体３の両端開口（左端側省略）には接続用フランジ部１が突設され、その接続用フランジ部１に多数の図示しないボルト孔が穿設されている。そして本体３の端部は、その本体３が図７の如く、コーナー部等の終端に位置する場合には、図１の如く端蓋23が接続用フランジ部１の開口を閉塞する。そして、接続用フランジ部１と端蓋23との間にパッキンが介装され、両者間が多数のボルトにより、締結固定され気密構造となる。本体３の内部には、図示しない導体及び遮断機等が内装され、絶縁性ガスが内部に封入される。このようなガス絶縁型電力用母線４の端部において、本発明の移動治具が配置される。
【０００８】
この移動治具は、基面24上に立設される反力台８と、その枠型フレーム６に対向して配置される環状のフランジ取付材11と、それらの間を連結する複数のネジシャフト12及びナット13とからなる。反力台８は、図１、図２の如く一対の平行なＨ型綱からなる基部フレーム５の長手方向中央位置に枠型フレーム６が立設固定され、その枠型フレーム６の上端部と基部フレーム５の端部との間に、かすがい材20が設けられている。また、図２に示す如く、枠型フレーム６には逆ハの字状に一対の補助材21が下端両コーナー部に配置される。そして、その補助材21及び枠型フレーム６の上端中央に夫々第１ネジシャフト挿通部７が形成される。即ち、そこに挿通孔が貫通して第１ネジシャフト挿通部７を形成する。
【０００９】
次にフランジ取付材11は、本体３の接続用フランジ部１に整合する三つの弧状部材を、ボルト及びナットを介して着脱自在に連結したものである。この例では、夫々の弧状部材は断面アングル状に形成され、夫々の部材両端に接続片25が突設固定され、そこにボルト孔が穿設される。また、夫々の弧状部材の中央にはブラケット14が突設されている。しかして、図２に示す如く、三つの弧状部材を接続して環状に形成し、それを本体３の接続用フランジ部１に接続する。そしてそのフランジ取付材11と枠型フレーム６との間には接続用フランジ部１が位置される。
また、フランジ取付材11には多数のボルト挿通孔９が穿設されている。このボルト挿通孔９は、接続用フランジ部１と端蓋23とを連結するボルト頭部の最大直径よりも僅かに大きく穿設されている。なお、中央に位置するボルト孔は接続用フランジ部１のボルト孔に整合する大きさとすることができる。
【００１０】
次にネジシャフト12は、この例ではシャフトの外周に外ネジが螺刻されたものであり、それが枠型フレーム６の第１ネジシャフト挿通部７に夫々挿通されると共に、フランジ取付材11の第２ネジシャフト挿通部10に挿通される。そして、その一方側にナット13が螺着される。なお、フランジ取付材11のブラケット14の貫通孔の孔縁部に隣接して、一例として図３に示すような止着用金具26が螺着される。この止着用金具26はナット型に形成され、一端面に球面凸部が形成された第１部材15と、その球面凸部に整合する球面凹部を有する環状の第２部材16とから構成されている。このようにすることにより、ネジシャフト12の軸線が僅かに傾いても、ネジシャフト12のネジ山を損傷させるとなく、ナット13の螺回によりブラケット14を円滑に右方に移動することができる。
次に、反力台８の基部フレーム５には、接続体18を介して図７〜図９の如く、板材17が接続される。板材17は多数の土木用鋼板を敷きつめたものであり、各鋼板間がアングル材22によって一体的に溶接固定されている。そしてそれらに重車両19等の重量物が載置される。それにより、ガス絶縁型電力用母線４の移動作業中に基部フレーム５が移動することを阻止するものである。
【００１１】
【使用方法】
図１〜図９に示す如く、本発明の移動治具が組立てられる。そして、フランジ取付材11と枠型フレーム６との間に本体３の接続用フランジ部１が配置される。この例では、接続用フランジ部１と端蓋23とが多数の締結ボルト27より接続されている。そしてその締結ボルト27の左端に螺着されたナットがフランジ取付材11の各ボルト挿通孔９内に挿入される。しかしながら、ブラケット14の近傍においては、その締結ボルト27が取り外され、軸長の長い締結ボルト27ａが挿通されて、端蓋23と接続用フランジ部１とフランジ取付材11とが一体的に締結される（図４〜図６）。
そしてネジシャフト12が枠型フレーム６の第１ネジシャフト挿通部７に夫々挿通されると共に、フランジ取付材11の第２ネジシャフト挿通部10に夫々挿通される。そして、そのネジシャフト12の右側からナット13が螺着され、左側から止着用金具26が螺着される。このような状態において、三本のネジシャフト12に夫々螺着されたナット13を同時に均等に回転させる。即ち、三つのナット13をほぼ同期回転させ、本体３をバランスよく枠型フレーム６側に水平移動させる。
【００１２】
【発明の作用・効果】
請求項１に記載の発明によれば、三本のネジシャフト12とナット13を相対回転することにより、本体３を枠型フレーム６側に正確且つ円滑に水平移動することができる。
請求項２に記載の発明によれば、外周に球面凸部が形成された第１部材15と、それに整合する第２部材16とを有し、その第２部材16が第２ネジシャフト挿通部10に止着するように形成されたから、三本のネジシャフト12に取付けたナット13の回転がアンバランスであっても、ネジシャフト12の軸線を僅かに変化させ、接続用フランジ部１を円滑に枠型フレーム６側に引き寄せることができる。
請求項３に記載の発明によれば、重量物が載置される板材17と基部フレーム５上の反力台８とが接続体18を介して連結されているから、基部フレーム５を基面24上に確実に保持し、より安全に接続用フランジ部１を枠型フレーム６側に移動することができる。
【図面の簡単な説明】
【図１】本発明の移動治具の一部破断正面図。
【図２】本発明の移動治具の右側面図。
【図３】図１の III部拡大断面図。
【図４】図１の III部近傍の斜視図。
【図５】図４のＶ−Ｖ矢視断面略図。
【図６】図４のVI−VI矢視断面略図。
【図７】本発明の移動治具の全体的平面図。
【図８】本発明の移動治具の全体的正面図。
【図９】基部フレーム５と板材17と接続体18との接続状態を示す説明図。
【符号の説明】
１  接続用フランジ部
２  脚部
３  本体
４  ガス絶縁型電力用母線
５  基部フレーム
６  枠型フレーム
７  第１ネジシャフト挿通部
８  反力台
９  ボルト挿通孔
10  第２ネジシャフト挿通部
11  フランジ取付材
12  ネジシャフト
13  ナット
14  ブラケット
15  第１部材
16  第２部材
17  板材
18  接続体
19  重車両
20  かすがい材
21  補助材
22  アングル材
23  端蓋
24  基面
25  接続片
26  止着用金具
27  締結ボルト
27ａ  締結ボルト
【図１】
0004317978.tif 000002
【図２】
0004317978.tif 000003
【図３】
0004317978.tif 000004
【図４】
0004317978.tif 000005
【図５】
0004317978.tif 000006
【図６】
0004317978.tif 000007
【図７】
0004317978.tif 000008
【図８】
0004317978.tif 000009
【図９】
0004317978.tif 000010